(57)【要約】【課題】浴室ドアから滴下する水やドア下枠に滞留した水を排出する排水溝を床パンに設けることなく、簡単で清掃性に優れた浴室ドアの止水構造を提供する。【解決手段】脱衣室と略同レベルで配置される浴室への出入り口に設置される浴室ドアの止水構造であって、該止水構造Ａは、浴室ドア２の下端面の洗い場側に延設されたストッパ３およびそれに並行して脱衣室側に垂設された水切り片４と、側断面ロの字型のドア下枠５と、水返しパッキン１とからなり、この水返しパッキン１は、ドア下枠５が内設される床パン６の凹部６１の側端縁６２と、上記ドア下枠５の上面との間に架設されることを特徴とする。【選択図】図２
2005171697.tif 000002
【特許請求の範囲】
【請求項１】
脱衣室と略同レベルで配置される浴室への出入り口に設置される浴室ドアの止水構造であって、該止水構造は、浴室ドアの下端面の洗い場側に延設されたストッパおよびそれに並行して脱衣室側に垂設された水切り片と、ドア下枠と、水返しパッキンとからなり、この水返しパッキンは、ドア下枠が内設される床パンの凹部の側端縁と、上記ドア下枠の上面との間に架設されることを特徴とする浴室ドアの止水構造。
【請求項２】
上記水返しパッキンは、挿入部と止水部と支持部とフィン部とが一体的に形成されてなるとともに、上記挿入部と支持部とは硬質部材から、上記止水部とフィン部とは軟質部材から構成される請求項１に記載の浴室ドアの止水構造。
【請求項３】
上記ストッパが軟質ゴムを中空成形してなる略半円筒形とされるとともに、水切り片がゴム状弾性体を舌片状に形成してなる請求項１に記載の浴室ドアの止水構造。
【請求項４】
上記ドア下枠の脱衣室側に、さらに踏込み部が並設される請求項１に記載の浴室ドアの止水構造。
【発明の詳細な説明】
【技術分野】
【０００１】
本発明は、浴室ドアの止水構造に関する。さらに詳しくは、脱衣室と略同レベルで配置された浴室に設けられ、浴室側に開く浴室ドアの止水構造に関する。
【背景技術】
【０００２】
近年、高齢化社会を迎え、脱衣室との段差をなくしたフルフラット構造の浴室が普及しつつある。このようなフルフラット構造においては、浴室への出入り口は段差がないため、高齢者が角部で躓いて転ぶ恐れは少なくなるものの、洗い場の湯水が脱衣室に浸入し易く、また浴室と脱衣室との間に設置されるドアの下枠が濡れて不潔となり易いという問題がある。このような問題を解決するために種々の技術が提案されている。
【特許文献１】特開２００２−１２９８４７号公報（第１−３頁、第１図）
【特許文献２】特開平１１−３０３５３３号公報（第１−４頁、第１図）
【特許文献３】特開２０００−５４４５０号公報（第１−３頁、第３図）
【特許文献４】特開２０００−２７４１５４号公報（第１−３頁、第１図、第３図）
【０００３】
本願図３は、スイング式の浴室ドアの公知の止水構造９を示す側断面図である。本願図３において、矢印に従って浴室側に開く浴室ドア９１の下端面には、洗い場からの湯水を止水するための止水パッキン９２が並設され、ドア９１を受ける下枠９３には、水抜き部９３１、水受け部９３２が設けられている。ドア９１を開閉するときに止水パッキン９２で拭われた水や、ドア９１から滴り落ちた水は、水抜き部９３１から水受け部９３２に滴下し、床パン９５に設けられた排水溝９５１の溝ふた９４の支持脚９４１に設けられた排水孔（図示せず）を経て排水溝９５１に流れ込み、排水される。
【発明の開示】
【発明が解決しようとする課題】
【０００４】
しかしながら、本願図３に示されるように、下枠９３の構造が複雑で水垢が溜まり易く、また、排水溝９５１が溝ふた９４で塞がれているため、カビや、悪臭が発生するという問題がある。本発明は、このような問題を解決し、ドア用下枠の上に滞留した水や、浴室ドアから滴下する水を流すための排水溝を床パンに設けることなく、簡単な構造で、清掃性に優れた浴室ドアの止水構造を提供することを、その課題とする。
【課題を解決するための手段】
【０００５】
本発明は、上記課題を解決するために考え出されたものであって、つぎのような技術的手段を講じている。すなわち、本発明によれば、脱衣室と略同レベルで配置される浴室への出入り口に設置される浴室ドアの止水構造であって、該止水構造は、浴室ドアの下端面の洗い場側に延設されたストッパおよびそれに並行して脱衣室側に垂設された水切り片と、ドア下枠と、水返しパッキンとからなり、この水返しパッキンは、ドア下枠が内設される床パンの凹部の側端縁と、上記ドア下枠の上面との間に架設されることを特徴とする浴室ドアの止水構造が提供される。
【０００６】
上記水返しパッキンは、挿入部と止水部と支持部とフィン部とが一体的に形成されてなるとともに、上記挿入部と支持部とは硬質部材から、上記止水部とフィン部とは軟質部材から構成されることが好ましい。通常、上記軟質部材として軟質合成樹脂を、硬質部材として硬質合成樹脂を用い、これらを一体成形することにより本発明にかかる上記水返しパッキンが得られる。
【０００７】
上記ストッパが軟質ゴムを中空成形してなる半円筒形であることが好ましい。また、水切り片がゴム状弾性体を舌片状に形成したものであることが好ましい。ゴム状弾性体としては、通常、変形容易なエラストマーが用いられる。また、
上記ドア下枠の脱衣室側に、さらに踏込み部が並設されることが好ましい。
【発明の効果】
【０００８】
請求項１に記載の発明は上記のとおりであり、とくに、水返しパッキンが、ドア下枠が内設される床パンの凹部の側端縁と、上記ドア下枠の上面との間に架設されるため、洗い場からの湯水を止水するとともに、浴室ドアから落ちる水滴をドア下枠上に滞留させることなく床パン上に排出することができる。
【０００９】
上記水返しパッキンは、挿入部と止水部と支持部とフィン部とが一体的に形成されてなるとともに、上記挿入部と支持部とは硬質部材から、上記止水部とフィン部とは軟質部材から構成されるため、止水部が洗い場からの湯水を止水するとともに浴室ドアが簡単に開くことを防ぎ、緩装された挿入部の周囲が毛管として作用し、ドア下枠上の水を誘引して床パン上に排出することができる。
【００１０】
上記ストッパが軟質ゴムを中空成形して略半円筒形とされるとともに、水切り片がゴム状弾性体を舌片状に形成されてなるため、ストッパが弾性変形して浴室ドアを簡単に開くことができ、ついで、舌片状の水切り片がドア下枠の上を拭って排水し、下枠上を常に清潔な状態に保つことができる。
【００１１】
上記ドア下枠の脱衣室側に、さらに踏込み部が並設されるため、脱衣室の床面と浴室とを略同レベルにすることができてバリアフリーとなり、高齢者、身体障害者等が快適に入浴を楽しむことができる。
【発明を実施するための最良の形態】
【００１２】
以下、本発明にかかる浴室ドアの止水構造の実施形態について、図面を参照して詳細に説明する。図１は、浴室と脱衣室とを略同レベルにしたフルフラット構造の浴室出入り口に設置され、矢印に従って浴室側に開く浴室ドアの止水構造Ａを示す分解説明図である。図１からよくわかるように、上記止水構造Ａは、浴室ドア２の下端面の浴室側に延設されたストッパ３およびそれと並行に垂設された水きり片４と側断面ロの字型のドア下枠５および水返しパッキン１とからなり、この水返しパッキン１は、ドア下枠５が内設される床パン６の凹部６１の側端縁６２と、ドア下枠５の上面との間に架設される。さらに、ドア下枠５の脱衣室側に接して、ドア下枠５の上面とフラットになるように、踏込み部８が設けられる。
【００１３】
図２は、上記浴室ドアの止水構造Ａを示す側断面図であり、ドア下枠５は床パン６の凹部６１に内設され、その隙間をシリコンシーラント等のシーリング材７で封止するすることにより、該ドア下枠５は凹部６１にしっかりと固定される。図２からよくわかるように、水返しパッキン１は、上記ドア下枠５の外側面と凹部６１の内側面との間に緩装される挿入部１１、上記ストッパ３に当接するとともに、洗い場からの水を止める止水部１２、ドア下枠５に架け渡される支持部１３および凹部６１の側端縁６２を覆うフィン部１４とからなる。符号Ｆは、脱衣室の床面を表す。
【００１４】
上記挿入部１１および支持部１３は硬質部材から、また、上記止水部１２およびフィン部１４は軟質部材から形成され、通常、硬質合成樹脂と軟質合成樹脂とを一体的に成形することにより上記水返しパッキン１が得られる。また、水きり片４は、エラストマー等の変形容易なゴム状弾性体を舌片状に形成し、また、ストッパ３は軟質ゴムを中空半円筒形状に形成することにより、容易に弾性変形するとともに、弾性復帰するようにされている。
【００１５】
図２は、浴室ドア２を閉じたときの状態を示しており、上記ストッパ３は、水返しパッキン１の止水部１２に当接し、浴室ドア２が簡単に開くことを防いでいる。一方、浴室ドア２から滴り落ちた水がドア下枠５の上に溜まったときは、水返しパッキン１の支持部１３とドア下枠５の上面との隙間５１から、既述の緩装された挿入部１１とドア下枠５の外側面の間に毛細管現象により誘引され、ついで、上記挿入部１１と凹部６１の内側面との間を通って床パン６上に排出される。
【００１６】
また、浴室ドア２を浴室側に押すと、止水部１２と上記ストッパ３とが互いに弾性変形し、浴室ドア２が簡単に開くため、水切り片４がドア下枠５の上に滞留した水を拭い、上記止水部１２を越えて床パン上に排水することができる。なお、上記止水部１２に水抜き用の孔部や、櫛歯状の水抜き部を設ける等、種々設計変更可能であり、本発明の特許請求の範囲を逸脱しない限り、いずれの場合も本発明の技術的範囲に含まれる。
【００１７】
本発明にかかる浴室ドアをフルフラット構造の浴室に適用すると、脱衣室から浴室まで実質的に段差のないバリアフリーとすることができる。さらに、洗い場からの湯水を止水し、浴室ドアから落ちる水滴をドア下枠の上に滞留させることなく、清潔に保てるため、高齢者、身体障害者等、足腰の弱い人でも快適に入浴を楽しむことができる。
【図面の簡単な説明】
【００１８】
【図１】本発明にかかる浴室ドアの止水構造を示す分解説明図である。
【図２】上記浴室ドアの止水構造を示す側断面図である。
【図３】公知の浴室ドアの止水構造を示す側断面図である。
【符号の説明】
【００１９】
Ａ        本発明にかかる浴室ドアの止水構造
１        水返しパッキン
１１      上記挿入部
１２      上記止水部
１３      上記支持部
１４      上記フィン部
２        浴室ドア
３        ストッパ
４        水切り片
５        ドア下枠
５１      隙間
６        床パン
６１      上記に設けられた凹部
６２      上記側端縁
７        シーリング材
８        踏込み部
Ｆ        脱衣室床面
９        公知の浴室ドアの止水構造
９１      公知の浴室ドア
９２      同上止水パッキン
９３      同上下枠
９３１    上記水抜き部
９３２    上記水受け部
９４      同上溝ふた
９４１    支持脚
９５      同上床パン
９５１    上記に設けられた排水溝
【図１】
2005171697.tif 000003
【図２】
2005171697.tif 000004
【図３】
2005171697.tif 000005